(57)【特許請求の範囲】
【請求項１】
差し込み口に接続した電気製品の使用状況を検出するテーブルタップと、
前記テーブルタップが検出した前記電気製品の使用状況により、前記電気製品の使用者を監視する基地局と、
前記テーブルタップによる検出結果を前記基地局に通信する通信手段とを備え、
前記テーブルタップは、
時間を計測する時間計測手段と、
前記差し込み口に接続した電気製品の電力使用量を検出する電力検出手段と、
前記電力検出手段によって検出された電力使用量の検出結果が、予め設定した判定条件に一致するか否かを、前記時間計測手段によって検出された時間情報を参照して判定する判定手段と、
予め設定した時間以上、前記電力検出手段が検出する電力量に変動がないという第１の判定条件と、予め設定した時間の範囲内に、前記電力検出手段が検出する電力量に変動がないという第２の判定条件と、予め設定した時間の範囲内に、予め設定した電力量を前記電力検出手段が検出できないという第３の判定条件と、予め設定した時刻に、予め設定した電力量を前記電力検出手段が検出できないという第４の判定条件と、予め設定した時刻を過ぎても、予め設定した電力量を前記電力検出手段が検出し続けるという第５の判定条件と、予め設定した曜日の予め設定した時刻に、予め設定した電力量を前記電力検出手段が検出できないという第６の判定条件の中から、少なくとも２つ以上の判定条件を、前記電気製品の使用者に合わせて設定する判定条件設定手段とをさらに備え、
前記第１から第６の判定条件のいずれかを前記基地局から前記テーブルタップに設定し、設定した２つ以上の判定条件のうち、いずれか１つが成立した時に、前記テーブルタップから前記基地局に通信を行うようにしたことを特徴とするテーブルタップを用いた監視システム。
【請求項２】
請求項１に記載のテーブルタップを用いた監視システムにおいて、
前記テーブルタップは、設定された判定条件のうち、どの判定条件が成立した時に前記基地局に通信を行うかについて、選択的に切り替える判定条件切替手段をさらに備えたことを特徴とするテーブルタップを用いた監視システム。
【請求項３】
請求項１または２に記載のテーブルタップを用いた監視システムにおいて、
前記テーブルタップは、前記第１ないし第６の判定条件の設定に必要なパラメータである設定時間と設定電力値を選択できるパラメータ選択手段をさらに備えたことを特徴とするテーブルタップを用いた監視システム。
【請求項４】
請求項１または２に記載のテーブルタップを用いた監視システムにおいて、
前記テーブルタップは、前記第１ないし第６の判定条件の設定に必要なパラメータである設定時間と設定電力値を入力するパラメータ入力手段をさらに備えたことを特徴とするテーブルタップを用いた監視システム。
【請求項５】
請求項１に記載のテーブルタップを用いた監視システムにおいて、
前記基地局は、前記テーブルタップに設定した前記判定条件を記憶する判定条件記憶手段をさらに備えたことを特徴とするテーブルタップを用いた監視システム。
【請求項６】
請求項１に記載のテーブルタップを用いた監視システムにおいて、
前記テーブルタップは、前記基地局から設定された前記判定条件のうち、いずれか１つが成立した場合、テーブルタップ個別の認識コードと、成立した判定条件を前記基地局に送信することを特徴するテーブルタップを用いた監視システム。
【請求項７】
請求項６に記載のテーブルタップを用いた監視システムにおいて、
前記基地局は、前記テーブルタップから送信される前記テーブルタップ個別の認識コードと、前記テーブルタップに設定した前記判定条件との対応表を有することを特徴とするテーブルタップを用いた監視システム。
【請求項８】
請求項７に記載のテーブルタップを用いた監視システムにおいて、
前記基地局の対応表に含まれる前記テーブルタップ個別の認識コードとして、使用者の氏名および連絡先を用いることを特徴とするテーブルタップを用いた監視システム。
【請求項９】
請求項７記載のテーブルタップを用いた監視システムにおいて、
前記基地局の対応表に含まれる前記テーブルタップ個別の認識コードとして、前記テーブルタップの製造コードを用いることを特徴とするテーブルタップを用いた監視システム。
【請求項１０】
請求項９に記載のテーブルタップを用いた監視システムにおいて、
前記基地局は、前記テーブルタップ個別の製造コードと該製造コードに対応する使用者の氏名および連絡先との対応表を有することを特徴とするテーブルタップを用いた監視システム。
【請求項１１】
請求項１に記載のテーブルタップを用いた監視システムにおいて、
前記基地局は、前記テーブルタップに設定した前記判定条件の内容を基地局端末に表示するようにしたことを特徴とするテーブルタップを用いた監視システム。
【請求項１２】
請求項６に記載のテーブルタップを用いた監視システムにおいて、
前記基地局は、前記テーブルタップから送信される前記テーブルタップ個別の認識コードに基づいて、通信してきたテーブルタップの使用者の氏名と連絡先を検索して基地局端末に表示するとともに、前記テーブルタップから送信される前記判定条件に基づいて、成立した判定条件の内容を前記基地局端末に表示することを特徴とするテーブルタップを用いた監視システム。
【請求項１３】
請求項１に記載のテーブルタップを用いた監視システムにおいて、
前記テーブルタップは、前記基地局から設定された前記判定条件を表示する表示装置をさらに備えたことを特徴とするテーブルタップを用いた監視システム。
【請求項１４】
請求項１に記載のテーブルタップを用いた監視システムにおいて、
前記テーブルタップは、前記基地局から設定された前記判定条件を、前記通信回線を介してＦＡＸ信号として外部に出力するＦＡＸ送信手段をさらに備えたことを特徴とするテーブルタップを用いた監視システム。
【請求項１５】
請求項１に記載のテーブルタップを用いた監視システムにおいて、
前記テーブルタップは、
スピーカと、
設定されている前記判定条件を、音声信号として前記スピーカに出力する音声報知手段とをさらに備えたことを特徴とするテーブルタップを用いた監視システム。
【請求項１６】
請求項１に記載のテーブルタップを用いた監視システムにおいて、
前記基地局は、前記判定条件の設定に必要なパラメータである設定時間および設定電力値を、季節に応じて前記テーブルタップに自動設定するようにしたことを特徴とするテーブルタップを用いた監視システム。
【請求項１７】
請求項１に記載のテーブルタップを用いた監視システムにおいて、
前記基地局は、前記判定条件の設定に必要なパラメータである設定時間および設定電力値を、天候に応じて前記テーブルタップに自動設定するようにしたことを特徴とするテーブルタップを用いた監視システム。
【請求項１８】
請求項１に記載のテーブルタップを用いた監視システムにおいて、
前記テーブルタップと前記基地局とは、それぞれスピーカとマイクとをさらに備え、前記基地局と前記テーブルタップとの間で、会話ができるようにしたことを特徴とするテーブルタップを用いた監視システム。
【請求項１９】
請求項６記載のテーブルタップを用いた監視システムにおいて、
前記テーブルタップと前記基地局とは、それぞれスピーカとマイクとをさらに備え、前記基地局と前記テーブルタップとの間で、会話ができるようにし、
前記テーブルタップは、前記基地局から設定された前記判定条件のうち、いずれか１つが成立した場合、テーブルタップ個別の認識コードと、成立した判定条件をモデム信号として前記基地局に送信し、その後、前記モデム信号を音声信号に切り替え、前記スピーカとマイクにより基地局と会話ができるようにしたことを特徴とするテーブルタップを用いた監視システム。
【請求項２０】
請求項１８記載のテーブルタップを用いた監視システムにおいて、
前記テーブルタップ側のスピーカとマイクの音量は、前記基地局側から変更可能であること特徴とするテーブルタップを用いた監視システム。
【請求項２１】
請求項１に記載のテーブルタップを用いた監視システムにおいて、
前記テーブルタップは、
前記電力検出手段により検出された電力使用量の検出結果を所定時間毎に記憶する時間別記憶手段と、
前記時間別記憶手段に記憶されている電力使用量の検出結果と実際の電力使用量の検出結果とを比較する比較手段とをさらに備え、
前記比較手段による比較結果が所定の値以上異なっていた場合は、前記基地局に通信を行うことを特徴とするテーブルタップを用いた監視システム。
【請求項２２】
請求項２１に記載のテーブルタップを用いた監視システムにおいて、
前記テーブルタップは、前記時間別記憶手段に記憶された電力使用量の検出結果を更新する検出結果更新手段をさらに備えたことを特徴とするテーブルタップを用いた監視システム。
【請求項２３】
請求項２１に記載のテーブルタップを用いた監視システムにおいて、
前記テーブルタップは、
前記時間別記憶手段に記憶された電力使用量に対する第１の係数と、実際の電力使用量に対する第２の係数を有し、前記時間別記憶手段に記憶された電力使用量の検出結果と実際の電力使用量の検出結果にそれぞれ前記第１と第２の係数を乗算した後、両者の和を対応する時間毎にとり、その結果を新たな所定時間毎の電力使用量の検出結果として更新する検出結果更新手段をさらに備えたことを特徴とするテーブルタップを用いた監視システム。
【請求項２４】
請求項１に記載のテーブルタップを用いた監視システムにおいて、
前記テーブルタップは、前記電力検出手段により検出された電力使用量の検出結果を所定時間毎に記憶する時間別記憶手段をさらに備え、前記時間別記憶手段に記憶された電力使用量の検出結果を前記電力検出手段により検出された現在の電力使用量の検出結果とともに電力使用量の検出結果情報として前記基地局に所定時間毎に送信することを特徴とするテーブルタップを用いた監視システム。
【請求項２５】
請求項１に記載のテーブルタップを用いた監視システムにおいて、
前記テーブルタップは、前記電力検出手段により検出された電力使用量の検出結果を所定時間毎に記憶する時間別記憶手段をさらに備え、前記基地局から要求のあった際には、前記時間別記憶手段に所定時間毎に記憶された電力使用量の検出結果を前記電力検出手段により検出された現在の電力使用量の検出結果とともに電力使用量の検出結果情報として前記基地局に送信することを特徴とするテーブルタップを用いた監視システム。
【請求項２６】
請求項１に記載のテーブルタップを用いた監視システムにおいて、
前記テーブルタップは、前記電力検出手段により検出された電力使用量の検出結果を基に、接続されている電気製品の通電がオンになった時刻とオフになった時刻を検出し、検出結果をオン／オフ時刻情報として記憶するオン／オフ時刻記憶手段をさらに備え、
前記基地局から要求のあった際には、前記オン／オフ時刻情報を前記基地局に送信することを特徴とするテーブルタップを用いた監視システム。
【請求項２７】
請求項２４〜請求項２６のいずれかに記載のテーブルタップを用いた監視システムにおいて、
前記基地局は、前記テーブルタップから送信される前記電力使用量の検出結果情報および前記オン／オフ時刻情報を記憶することを特徴とするテーブルタップを用いた監視システム。
【請求項２８】
請求項２７に記載のテーブルタップを用いた監視システムにおいて、
前記基地局は、記憶した前記電力使用量の検出結果情報および前記オン／オフ時刻情報を基に、前記テーブルタップに対して、設定した判定条件のパラメータである設定時間と設定電力値の変更を行うようにしたことを特徴とするテーブルタップを用いた監視システム。
【請求項２９】
請求項２４〜請求項２６のいずれかに記載のテーブルタップを用いた監視システムにおいて、
前記テーブルタップは、前記電力使用量の検出結果情報および前記オン／オフ時刻情報を前記基地局に送信した後、送信したそれぞれの情報を前記時間別記憶手段および前記オン／オフ記憶手段から消去することを特徴とするテーブルタップを用いた監視システム。
【請求項３０】
請求項１に記載のテーブルタップを用いた監視システムにおいて、前記テーブルタップは、
電気製品が接続される２つ以上の差し込み口と、
時間を計測する時間計測手段と、
前記各差し込み口に接続した各電気製品の電力使用量を個別に検出する電力検出手段と、
前記時間検出手段によって検出された時間情報を参照して、前記電力検出手段の検出結果と予め設定した判定条件との一致を判定する判定手段とを備え、
前記一致が判定されたとき、前記基地局に前記一致が生じたことを通信することを特徴とするテーブルタップを用いた監視システム。
【請求項３１】
請求項３０に記載のテーブルタップを用いた監視システムにおいて、
前記テーブルタップは、前記電力検出手段によって検出された電力使用量の検出結果のうち、いずれか１つが予め設定した判定条件に一致した場合に前記基地局に通信を行うことを特徴とするテーブルタップを用いた監視システム。
【請求項３２】
請求項３０に記載のテーブルタップを用いた監視システムにおいて、
前記テーブルタップは、前記電力検出手段によって検出された電力使用量の検出結果のうち、少なくとも２つ以上の検出結果が予め設定した判定条件に一致した場合に前記基地局に通信を行うこと特徴とするテーブルタップを用いた監視システム。
【請求項３３】
請求項１に記載のテーブルタップを用いた監視システムにおいて、
前記テーブルタップは、
内蔵の電源と、
前記テーブルタップに付属するプラグを介してコンセントから供給される電圧を検出する電圧検出手段と、
前記内蔵の電源から電力が供給され、前記電圧検出手段の出力が所定の値より低下した場合には、警告音を発生する警告手段とをさらに備えたことを特徴とするテーブルタップを用いた監視システム。
【請求項３４】
請求項３３に記載のテーブルタップを用いた監視システムにおいて、
前記内蔵の電源から電力が供給され、かつ、前記電圧検出手段の出力が所定の値より低下した場合には、前記基地局に通信を行うことを特徴とするテーブルタップを用いた監視システム。
【請求項３５】
請求項３３に記載のテーブルタップを用いた監視システムにおいて、
前記内蔵の電源から電力が供給され、かつ、前記電圧検出手段の出力が所定の値より低下した後、予め設定されている時間が経過しても前記電圧検出手段の前記出力が前記所定の値より低い場合には、前記基地局に通信を行うことを特徴とするテーブルタップを用いた監視システム。
【請求項３６】
請求項１に記載のテーブルタップを用いた監視システムにおいて、
前記テーブルタップは、前記設定された２つ以上の判定条件のうち、いずれか１つが成立した時に前記基地局に行う通信を禁止する機能停止スイッチをさらに備えたことを特徴とするテーブルタップを用いた監視システム。
【請求項３７】
請求項３６に記載のテーブルタップを用いた監視システムにおいて、
前記テーブルタップは、前記機能停止スイッチの状態がオフまたはオンの時、前記基地局に前記スイッチの状態を通信することを特徴とするテーブルタップを用いた監視システム。
【請求項３８】
請求項３６に記載のテーブルタップを用いた監視システムにおいて、
前記テーブルタップは、前記通信を禁止する機能停止スイッチがオフになった時刻を記憶する記憶手段と、
前記記憶手段が記憶した時刻から予め設定した時間を超えても前記スイッチがオンに戻らない場合、警告を発する警告手段とをさらに備えたことを特徴とするテーブルタップを用いた監視システム。
【発明の詳細な説明】
【０００１】
【発明の属する技術分野】
本発明は、通信回線を用いて異常事態を伝える警報装置に係わるものであり、特に一人暮しの老人や身体障害者等の生活をモニタし、異常事態を検知してヘルパー派遣等を要請することができる，テーブルタップおよびテーブルタップを用いた監視システムに関するものである。
【０００２】
【従来の技術】
従来の生活モニタシステムでは、例えば特開平１０−２４８０９３号公報に示すように、各電気製品に操作状況を検出する装置をつけ、これらからの検出信号を集中管理手段により統合管理し、必要に応じて電話回線を利用してヘルパー派遣等を要請するものであった。
また、別の方法として、例えば特公平７−６９９９５号公報に示すように、世帯全体の水および電気の使用を監視する装置をつけ、これらの使用状況から異常事態を検知し、必要に応じて電話回線を利用してヘルパー派遣等を要請するものであった。
【０００３】
【発明が解決しようとする課題】
上記特開平１０−２４８０９３号公報に示す従来例では、各電気製品に操作状況を検出する装置を追加する改造が必要であり、またこれらを統合管理する集中管理手段が必要である。さらにこれらの間の通信が必要となり、システムの導入に当たっては、現在使用中の電気製品の改造または交換をはじめ、かなりのコストが必要となる。また、特に老人の場合は、これまで使用してきた電気製品を交換することには抵抗を感じる場合がある。
【０００４】
また上記特公平７−６９９９５号公報に示す従来例では、水道メータおよび電気メータに工事が必要であるばかりでなく、例えば電力使用状況などでは、電気製品全体の使用状況が重畳した情報しかわからないため、冷蔵庫やこたつなど、電力使用量が時間変動するものが入っていた場合には、異常自体が生じていてもそれを検知しにくいという問題点があった。
【０００５】
本発明は、上記問題点を解決するためになされたもので、これまでの生活環境を変えることなく、安価なテーブルタップのみで一人暮し老人等の異常事態の発生を検知する監視システムとしての，テーブルタップおよびテーブルタップを用いた監視システムを提供することを目的とする。
【０００８】
【課題を解決するための手段】
上記課題を解決するために、本願の請求項１の発明に係るテーブルタップを用いた監視システムは、差し込み口に接続した電気製品の使用状況を検出するテーブルタップと、前記テーブルタップが検出した前記電気製品の使用状況により、前記電気製品の使用者を監視する基地局と、前記テーブルタップによる検出結果を前記基地局に通信する通信手段とを備え、前記テーブルタップは、時間を計測する時間計測手段と、前記差し込み口に接続した電気製品の電力使用量を検出する電力検出手段と、前記電力検出手段によって検出された電力使用量の検出結果が、予め設定した判定条件に一致するか否かを、前記時間計測手段によって検出された時間情報を参照して判定する判定手段と、予め設定した時間以上、前記電力検出手段が検出する電力量に変動がないという第１の判定条件と、予め設定した時間の範囲内に、前記電力検出手段が検出する電力量に変動がないという第２の判定条件と、予め設定した時間の範囲内に、予め設定した電力量を前記電力検出手段が検出できないという第３判定条件と、予め設定した時刻に、予め設定した電力量を前記電力検出手段が検出できないという第４の判定条件と、予め設定した時刻を過ぎても、予め設定した電力量を前記電力検出手段が検出し続けるという第５の判定条件と、予め設定した曜日の予め設定した時刻に、予め設定した電力量を前記電力検出手段が検出できないという第６の判定条件の中から、少なくとも２つ以上の判定条件を、前記電気製品の使用者に合わせて設定する判定条件設定手段とをさらに備え、前記第１から第６の判定条件のいずれかを前記基地局から前記テーブルタップに設定し、設定した２つ以上の判定条件のうち、いずれか１つが成立した時に、前記テーブルタップから前記基地局に通信を行うようにしたことを特徴とするものである。
【００１７】
また、本願の請求項２の発明に係るテーブルタップを用いた監視システムは、請求項１に記載のテーブルタップを用いた監視システムにおいて、前記テーブルタップは、設定された判定条件のうち、どの判定条件が成立した時に前記基地局に通信を行うかについて、選択的に切り替える判定条件切替手段をさらに備えたことを特徴とするものである。
【００１８】
また、本願の請求項３の発明に係るテーブルタップを用いた監視システムは、請求項１または２に記載のテーブルタップを用いた監視システムにおいて、前記テーブルタップは、前記第１ないし第６の判定条件の設定に必要なパラメータである設定時間と設定電力値を選択できるパラメータ選択手段をさらに備えたことを特徴とするものである。
【００１９】
また、本願の請求項４の発明に係るテーブルタップを用いた監視システムは、請求項１または２に記載のテーブルタップを用いた監視システムにおいて、前記テーブルタップは、前記第１ないし第６の判定条件の設定に必要なパラメータである設定時間と設定電力値を入力するパラメータ入力手段をさらに備えたことを特徴とするものである。
【００２１】
また、請求項５に記載のテーブルタップを用いた監視システムは、請求項１に記載のテーブルタップを用いた監視システムにおいて、前記基地局は、前記テーブルタップに設定した前記判定条件を記憶する判定条件記憶手段をさらに備えたことを特徴とするものである。
【００２２】
また、本願の請求項６の発明に係るテーブルタップを用いた監視システムは、請求項１に記載のテーブルタップを用いた監視システムにおいて、前記テーブルタップは、前記基地局から設定された前記判定条件のうち、いずれか１つが成立した場合、テーブルタップ個別の認識コードと、成立した判定条件を前記基地局に送信することを特徴するものである。
【００２３】
また、本願の請求項７の発明に係るテーブルタップを用いた監視システムは、請求項６に記載のテーブルタップを用いた監視システムにおいて、前記基地局は、前記テーブルタップから送信される前記テーブルタップ個別の認識コードと、前記テーブルタップに設定した前記判定条件との対応表を有することを特徴とするものである。
【００２４】
また、本願の請求項８の発明に係るテーブルタップを用いた監視システムは、請求項７に記載のテーブルタップを用いた監視システムにおいて、前記基地局の対応表に含まれる前記テーブルタップ個別の認識コードとして、使用者の氏名および連絡先を用いることを特徴とするものである。
【００２５】
また、本願の請求項９の発明に係るテーブルタップを用いた監視システムは、請求項７記載のテーブルタップを用いた監視システムにおいて、
前記基地局の対応表に含まれる前記テーブルタップ個別の認識コードとして、前記テーブルタップの製造コードを用いることを特徴とするものである。
【００２６】
また、本願の請求項１０の発明に係るテーブルタップを用いた監視システムは、請求項９に記載のテーブルタップを用いた監視システムにおいて、前記基地局は、前記テーブルタップ個別の製造コードと該製造コードに対応する使用者の氏名および連絡先との対応表を有することを特徴とするものである。
【００２７】
また、本願の請求項１１の発明に係るテーブルタップを用いた監視システムは、請求項１に記載のテーブルタップを用いた監視システムにおいて、前記基地局は、前記テーブルタップに設定した前記判定条件の内容を基地局端末に表示するようにしたことを特徴とするものである。
【００２８】
また、本願の請求項１２の発明に係るテーブルタップを用いた監視システムは、請求項６に記載のテーブルタップを用いた監視システムにおいて、前記基地局は、前記テーブルタップから送信される前記テーブルタップ個別の認識コードに基づいて、通信してきたテーブルタップの使用者の氏名と連絡先を検索して基地局端末に表示するとともに、前記テーブルタップから送信される前記判定条件に基づいて、成立した判定条件の内容を前記基地局端末に表示することを特徴とするものである。
【００２９】
また、本願の請求項１３の発明に係るテーブルタップを用いた監視システムは、請求項１に記載のテーブルタップを用いた監視システムにおいて、前記テーブルタップは、前記基地局から設定された前記判定条件を表示する表示装置をさらに備えたことを特徴とするものである。
【００３０】
また、本願の請求項１４の発明に係るテーブルタップを用いた監視システムは、請求項１に記載のテーブルタップを用いた監視システムにおいて、前記テーブルタップは、前記基地局から設定された前記判定条件を、前記通信回線を介してＦＡＸ信号として外部に出力するＦＡＸ送信手段をさらに備えたことを特徴とするものである。
【００３１】
また、本願の請求項１５の発明に係るテーブルタップを用いた監視システムは、請求項１に記載のテーブルタップを用いた監視システムにおいて、前記テーブルタップは、スピーカと、設定されている前記判定条件を、音声信号として前記スピーカに出力する音声報知手段とをさらに備えたことを特徴とするものである。
【００３２】
また、本願の請求項１６の発明に係るテーブルタップを用いた監視システムは、請求項１に記載のテーブルタップを用いた監視システムにおいて、前記基地局は、前記判定条件の設定に必要なパラメータである設定時間および設定電力値を、季節に応じて前記テーブルタップに自動設定するようにしたことを特徴とするものである。
【００３３】
また、本願の請求項１７の発明に係るテーブルタップを用いた監視システムは、請求項１に記載のテーブルタップを用いた監視システムにおいて、前記基地局は、前記判定条件の設定に必要なパラメータである設定時間および設定電力値を、天候に応じて前記テーブルタップに自動設定するようにしたことを特徴とするものである。
【００３４】
また、本願の請求項１８の発明に係るテーブルタップを用いた監視システムは、請求項１に記載のテーブルタップを用いた監視システムにおいて、前記テーブルタップと前記基地局とは、それぞれスピーカとマイクとをさらに備え、前記基地局と前記テーブルタップとの間で、会話ができるようにしたことを特徴とするものである。
【００３５】
また、本願の請求項１９の発明に係るテーブルタップを用いた監視システムは、請求項６記載のテーブルタップを用いた監視システムにおいて、前記テーブルタップと前記基地局とは、それぞれスピーカとマイクとをさらに備え、前記基地局と前記テーブルタップとの間で、会話ができるようにし、前記テーブルタップは、前記基地局から設定された前記判定条件のうち、いずれか１つが成立した場合、テーブルタップ個別の認識コードと、成立した判定条件をモデム信号として前記基地局に送信し、その後、前記モデム信号を音声信号に切り替え、前記スピーカとマイクにより基地局と会話ができるようにしたことを特徴とするものである。
【００３６】
また、本願の請求項２０の発明に係るテーブルタップを用いた監視システムは、請求項１８記載のテーブルタップを用いた監視システムにおいて、前記テーブルタップ側のスピーカとマイクの音量は、前記基地局側から変更可能であることを特徴とするものである。
【００３７】
また、本願の請求項２１の発明に係るテーブルタップを用いた監視システムは、請求項１に記載のテーブルタップを用いた監視システムにおいて、前記テーブルタップは、前記電力検出手段により検出された電力使用量の検出結果を所定時間毎に記憶する時間別記憶手段と、前記時間別記憶手段に記憶されている電力使用量の検出結果と実際の電力使用量の検出結果とを比較する比較手段とをさらに備え、前記比較手段による比較結果が所定の値以上異なっていた場合は、前記基地局に通信を行うことを特徴とするものである。
【００３８】
また、本願の請求項２２の発明に係るテーブルタップを用いた監視システムは、請求項２１に記載のテーブルタップを用いた監視システムにおいて、前記テーブルタップは、前記時間別記憶手段に記憶された電力使用量の検出結果を更新する検出結果更新手段をさらに備えたことを特徴とするものである。
【００３９】
また、本願の請求項２３の発明に係るテーブルタップを用いた監視システムは、請求項２１に記載のテーブルタップを用いた監視システムにおいて、前記テーブルタップは、前記時間別記憶手段に記憶された電力使用量に対する第１の係数と、実際の電力使用量に対する第２の係数を有し、前記時間別記憶手段に記憶された電力使用量の検出結果と実際の電力使用量の検出結果にそれぞれ前記第１と第２の係数を乗算した後、両者の和を対応する時間毎にとり、その結果を新たな所定時間毎の電力使用量の検出結果として更新する検出結果更新手段をさらに備えたことを特徴とするものである。
【００４０】
また、本願の請求項２４の発明に係るテーブルタップを用いた監視システムは、請求項１に記載のテーブルタップを用いた監視システムにおいて、前記テーブルタップは、前記電力検出手段により検出された電力使用量の検出結果を所定時間毎に記憶する時間別記憶手段をさらに備え、前記時間別記憶手段に記憶された電力使用量の検出結果を前記電力検出手段により検出された現在の電力使用量の検出結果とともに電力使用量の検出結果情報として前記基地局に所定時間毎に送信することを特徴とするものである。
【００４１】
また、本願の請求項２５の発明に係るテーブルタップを用いた監視システムは、請求項１に記載のテーブルタップを用いた監視システムにおいて、前記テーブルタップは、前記電力検出手段により検出された電力使用量の検出結果を所定時間毎に記憶する時間別記憶手段をさらに備え、前記基地局から要求のあった際には、前記時間別記憶手段に所定時間毎に記憶された電力使用量の検出結果を前記電力検出手段により検出された現在の電力使用量の検出結果とともに電力使用量の検出結果情報として前記基地局に送信することを特徴とするものである。
【００４２】
また、本願の請求項２６の発明に係るテーブルタップを用いた監視システムは、請求項１に記載のテーブルタップを用いた監視システムにおいて、前記テーブルタップは、前記電力検出手段により検出された電力使用量の検出結果を基に、接続されている電気製品の通電がオンになった時刻とオフになった時刻を検出し、検出結果をオン／オフ時刻情報として記憶するオン／オフ時刻記憶手段をさらに備え、前記基地局から要求のあった際には、前記オン／オフ時刻情報を前記基地局に送信することを特徴とするものである。
【００４３】
また、本願の請求項２７の発明に係るテーブルタップを用いた監視システムは、請求項２４〜請求項２６のいずれかに記載のテーブルタップを用いた監視システムにおいて、前記基地局は、前記テーブルタップから送信される前記電力使用量の検出結果情報および前記オン／オフ時刻情報を記憶することを特徴とするものである。
【００４４】
また、本願の請求項２８の発明に係るテーブルタップを用いた監視システムは、請求項２７に記載のテーブルタップを用いた監視システムにおいて、前記基地局は、記憶した前記電力使用量の検出結果情報および前記オン／オフ時刻情報を基に、前記テーブルタップに対して、設定した判定条件のパラメータである設定時間と設定電力値の変更を行うようにしたことを特徴とするものである。
【００４５】
また、本願の請求項２９の発明に係るテーブルタップを用いた監視システムは、請求項２４〜請求項２６のいずれかに記載のテーブルタップを用いた監視システムにおいて、前記テーブルタップは、前記電力使用量の検出結果情報および前記オン／オフ時刻情報を前記基地局に送信した後、送信したそれぞれの情報を前記時間別記憶手段および前記オン／オフ記憶手段から消去することを特徴とするものである。
【００４６】
また、本願の請求項３０の発明に係るテーブルタップを用いた監視システムは、請求項１に記載のテーブルタップを用いた監視システムにおいて、前記テーブルタップは、電気製品が接続される２つ以上の差し込み口と、時間を計測する時間計測手段と、前記各差し込み口に接続した各電気製品の電力使用量を個別に検出する電力検出手段と、前記時間検出手段によって検出された時間情報を参照して、前記電力検出手段の検出結果と予め設定した判定条件との一致を判定する判定手段とを備え、前記一致が判定されたとき、前記基地局に前記一致が生じたことを通信することを特徴とするものである。
【００４７】
また、本願の請求項３１の発明に係るテーブルタップを用いた監視システムは、請求項３０に記載のテーブルタップを用いた監視システムにおいて、前記テーブルタップは、前記電力検出手段によって検出された電力使用量の検出結果のうち、いずれか１つが予め設定した判定条件に一致した場合に前記基地局に通信を行うことを特徴とするものである。
【００４８】
また、本願の請求項３２の発明に係るテーブルタップを用いた監視システムは、請求項３０に記載のテーブルタップを用いた監視システムにおいて、前記テーブルタップは、前記電力検出手段によって検出された電力使用量の検出結果のうち、少なくとも２つ以上の検出結果が予め設定した判定条件に一致した場合に前記基地局に通信を行うこと特徴とするものである。
【００４９】
また、本願の請求項３３の発明に係るテーブルタップを用いた監視システムは、請求項１に記載のテーブルタップを用いた監視システムにおいて、前記テーブルタップは、内蔵の電源と、前記テーブルタップに付属するプラグを介してコンセントから供給される電圧を検出する電圧検出手段と、前記内蔵の電源から電力が供給され、前記電圧検出手段の出力が所定の値より低下した場合には、警告音を発生する警告手段とをさらに備えたことを特徴とするものである。
【００５０】
また、本願の請求項３４の発明に係るテーブルタップを用いた監視システムは、請求項３３に記載のテーブルタップを用いた監視システムにおいて、前記内蔵の電源から電力が供給され、かつ、前記電圧検出手段の出力が所定の値より低下した場合には、前記基地局に通信を行うことを特徴とするものである。
【００５１】
また、本願の請求項３５の発明に係るテーブルタップを用いた監視システムは、請求項３３に記載のテーブルタップを用いた監視システムにおいて、前記内蔵の電源から電力が供給され、かつ、前記電圧検出手段の出力が所定の値より低下した後、予め設定されている時間が経過しても前記電圧検出手段の前記出力が前記所定の値より低い場合には、前記基地局に通信を行うことを特徴とするものである。
【００５２】
また、本願の請求項３６の発明に係るテーブルタップを用いた監視システムは、請求項１に記載のテーブルタップを用いた監視システムにおいて、前記テーブルタップは、前記設定された２つ以上の判定条件のうち、いずれか１つが成立した時に、前記基地局に行う通信を禁止する機能停止スイッチをさらに備えたことを特徴とするものである。
【００５３】
また、本願の請求項３７の発明に係るテーブルタップを用いた監視システムは、請求項３６に記載のテーブルタップを用いた監視システムにおいて、前記テーブルタップは、前記機能停止スイッチの状態がオフまたはオンの時、前記基地局に前記スイッチの状態を通信することを特徴とするものである。
【００５４】
また、本願の請求項３８の発明に係るテーブルタップを用いた監視システムは、請求項３６に記載のテーブルタップを用いた監視システムにおいて、前記テーブルタップは、前記通信を禁止する機能停止スイッチがオフになった時刻を記憶する記憶手段と、前記記憶手段が記憶した時刻から予め設定した時間を超えても前記スイッチがオンに戻らない場合、警告を発する警告手段とをさらに備えたことを特徴とするものである。
【００５５】
【発明の実施の形態】
（実施の形態１）
以下に、図１を用いて本発明の実施の形態１を説明する。図１は実施の形態１にかかるテーブルタップを用いた監視システムのブロック図である。このテーブルタップを用いた監視システムは、電気製品に接続可能で、接続した電気製品の使用状況を検出するテーブルタップ１００と、テーブルタップ１００の使用状況により、電気製品の使用者を監視する基地局１０９を電話回線１０８により接続したものである。テーブルタップ１００は、図示しないコンセントに差し込むプラグ１０１と、これにつながる差し込み口１０２があり、差し込み口１０２には、電気製品１０６のプラグ１０７をつなぐようになっている。プラグ１０１と、これにつながる差し込み口１０２の中間には、電流計１０３があり、ここに流れる電流を測定することにより、差し込み口１０２に差し込んだ電気製品の消費電力を測定することができるようになっている。判断部１０４は、電流計１０３で検出された電力情報と時計１１３からの時間情報が、予め設定されている判定条件と一致するか否かを比較し、一致した場合にはテーブルタップ１００に接続されている電気製品の使用者に異常事態が発生したと判断する。なお、予め設定する判定条件については後述する。判断部１０４により異常事態が発生したと判断された場合、テーブルタップ１００は内蔵したＰＨＳ１０５により、テーブルタップ１００に予め付与されている固有番号を基地局１０９に送信する。電話回線１０８を介して送信されるテーブルタップ１００の固有番号は、基地局１０９のモデム１１０を経由し、監視端末１１１に送られる。そして、テーブルタップ１００の固有番号を受けた監視端末１１１では異常事態発生の表示を行う。またその際、テーブルタップ１００の固有番号からデータベース１１２に格納してあるテーブルタップ１００の所有者の氏名、住所、接続した電気製品の種類等を検索し、これらを合わせて監視端末１１１に表示する。なお、テーブルタップ１００は家庭用コンセントを電源とするものであるため、電圧は交流１００Ｖ固定である。したがって、電力については電流を測定することにより等価的に求めることができるため、ここでは電流計１０３にて電流を求めることで、電力を検出している。
【００５６】
次に、図２ないし図６を用いて、判断部１０４における異常事態の判定条件について示す。図２は、事前のアンケート調査により調べた老人Ａの生活パターンと、そこから想定されるテレビのオン／オフの状況を示す。図２上部には各時間における老人Ａの生活パターンと、老人Ａが通常見ているテレビ番組を示しており、図２下部には、そこから想定されるテレビのオン／オフの状況を示している。図において、老人Ａは通常６時に起床し、起床後少し経った後にテレビをつけるのが日課である。また、毎日８時１５分から始まるドラマは必ず見ている。その後は、テレビを消したりつけたりするが、日曜日には２０時から始まるドラマを必ず見ている。また、毎日２２時頃には就寝するため、その前にはテレビを消すものとする。
【００５７】
老人Ａの異常事態検知のためには、テーブルタップ１００の差し込み口１０２にテレビをつなぐものとし、電力使用パターンから検知できるテレビのオン／オフに対して、以下のような条件が成立した場合は判断部１０４において異常事態と判断させるようにする。時刻２０１では毎日テレビがついているはずであるため、８時２０分に電流計１０３で検知した電流値が０．１Ａ以下であった場合は異常事態と判断する。時刻２０２では日曜日であればテレビがついているはずであるため、日曜日であり且つ２０時１０分に電流計１０３で検知した電流値が０．１Ａ以下であった場合は異常事態と判断する。時刻２０３ではテレビを消して就寝しているはずであるため、２４時に電流計１０３で検知した電流値が０．１Ａ以上であった場合は異常事態と判断する。時刻２０４では、起床後はテレビをつけるはずであるため、５時３０分から７時までの間に電流計１０３で検知する電流値に変動がない場合は異常事態と判断する。更にテレビを８時間以上つけることはないため、電流計１０３で検知する電流値が連続して８時間以上０．１Ａ以上であるときは異常事態と判断する。テレビを１２時間以上消してあることはないため、電流計１０３で検知する電流値が連続して１２時間以上０．１Ａ以下であるときは異常事態と判断する。以上、上記に示す６条件のいずれか１つが成立した場合には、判断部１０４において異常事態と判断し、ＰＨＳ１０５により異常事態を通信する。
【００５８】
図３は、事前のアンケート調査により調べた老人Ｂの生活パターンと、そこから想定される炊飯器の電力消費の状況を示す。図３上部には各時間における老人Ｂの生活パターンと、老人Ｂが夕食の準備のために炊飯器を使用するタイミングを示しており、図３下部には、そこから想定される炊飯器の電力消費の状況を示す。炊飯器はスイッチオンから炊飯期間は大きな電力を消費し、炊飯後は保温のため断続的に数十秒の電力消費期間があるものとする。また、老人Ｂは就寝前にはかならず炊飯器のスイッチを切断するものとする。
【００５９】
老人Ｂの異常事態検知のためには、テーブルタップ１００の差し込み口１０２に炊飯器をつなぐものとし、電力使用パターンから検知できる炊飯器のオン／オフに対して、以下のような条件が成立した場合は判断部１０４において異常事態と判断させるようにする。まず、毎日１６時から１９時までの間には炊飯動作を行うため、この時間において電流計１０３で検知した電流値が、連続して２０分以上１Ａ以上となる期間が存在しない場合は、異常事態と判断する。また、夜中は炊飯器を切っているため、２３時から２４時の期間内に電流計１０３で検知した電流値が１Ａ以上となった場合は、異常事態と判断する。
【００６０】
図４は、事前のアンケート調査により調べた老人Ｃの生活パターンと、そこから想定される電灯の電力消費の状況を示す。なお、老人Ｃは１間の家に住んでおり、プラグ付の電灯を使用しているものとする。図４上部には各時間における老人Ｃの生活パターンを示しており、図４下部には、そこから想定される電灯の電力消費の状況を示す。老人Ｃは通常６時に起床し、起床後薄暗い場合は電灯をつけ、日が昇って明るくなった後に消す。また、夕方も薄暗くなった後に電灯をつけ、就寝時に消すものとする。
【００６１】
老人Ｃの異常事態検知のためには、テーブルタップ１００の差し込み口１０２に電灯をつなぐものとし、電力使用パターンから検知できる電灯のオン／オフに対して、以下のような条件が成立した場合は判断部１０４において異常事態と判断させるようにする。まず、毎日６時から７時までの間には電灯を付けるため、この期間において電流計１０３で検知した電流値が、０．５Ａ以上となる瞬間が存在しない場合は、異常事態と判断する。次に、完全に明るくなった１０時には消灯しているはずであるため、１０時において電流計１０３で検知した電流値が、０．５Ａ以上である場合は、異常事態と判断する。また、１６時から１８時の間に点灯するため、この期間において電流計１０３で検知した電流値が、０．５Ａ以下から０．５Ａ以上に切り換わるエッジが存在しない場合は、異常事態と判断する。さらに２４時の時点では必ず就寝しているため、２４時に電流計１０３で検知した電流値が０．５Ａ以上であった場合は異常事態と判断する。また、別の見方として、電灯の投入又は切断操作から１２時間以内に次の電源の切断または投入操作が行われない場合は異常事態と判断する方法もある。
【００６２】
図５は、事前のアンケート調査により調べた老人Ｄの生活パターンと、そこから想定される電気ポットの電力消費の状況を示す。図５上部には各時間における老人Ｄの生活パターンと、老人Ｄが電気ポットに水を足すタイミングを示しており、図５下部には、そこから想定される電気ポットの電力消費の状況を示す。この図では１５時頃に水を足しているが、実際には水を何時ごろに足すかはわからない。ただし、老人Ｄのお湯の使用量からすると、最低１日１回は水を足すものとする。電気ポットは電源投入または水足しが行われた直後から沸騰するまでの期間は大きな電力を消費し、沸騰後は保温のため断続的に数十秒の電力消費期間があるものとする。また、老人Ｄは就寝前にはかならず電気ポットのスイッチを切断するものとする。
【００６３】
老人Ｄの異常事態検知のためには、テーブルタップ１００の差し込み口１０２に電気ポットをつなぐものとし、電力使用パターンから検知できる電気ポットのオン／オフに対して、以下のような条件が成立した場合は判断部１０４において異常事態と判断させるようにする。まず、朝は必ずスイッチを入れるため、５時から７時の間において電流計１０３で検知した電流値が、１Ａ以下から１Ａ以上に切り換わるエッジが存在しない場合は、異常事態と判断する。次に、６時から２２時までの起きている期間に必ず１度は水足しを行うため、この時間において、電流計１０３で検知した電流値が１０分以上連続して１Ａ以上の値を示す期間が存在しない場合は、異常事態と判断する。また、就寝後はスイッチを切っているため、２３時から２４時の間に電流計１０３で検知した電流値が１Ａ以上となった場合は、異常事態と判断する。
【００６４】
図６は、事前のアンケート調査により調べた老人Ｅの生活パターンと、そこから想定されるあんま機の電力消費の状況を示す。図６上部には各時間における老人Ｅの生活パターンを示しており、図６下部には、そこから想定されるあんま機の電力消費の状況を示す。老人Ｅは就寝前に必ずあんま機を使うものとする。また、使用後には必ずあんま機のスイッチを切断するものとする。
【００６５】
老人Ｅの異常事態検知のためには、テーブルタップ１００の差し込み口１０２にあんま機をつなぐものとし、電力使用パターンから検知できるあんま機のオン／オフに対して、以下のような条件が成立した場合は判断部１０４において異常事態と判断させるようにする。まず、就寝前には必ずスイッチを入れるため、２０時から２３時の間において電流計１０３で検知した電流値が１０分以上連続して０．２Ａ以上の値を示す期間が存在しない場合は、異常事態と判断する。また、使用後はスイッチを切っているため、２時の時点で電流計１０３が検知した電流値が０．２Ａ以上となった場合は、異常事態と判断する。
【００６６】
以上に示したように、各個人の生活パターンを調査した上で、異常検知のために用いるべき電気製品とその判定条件とを決定し、テーブルタップ内部の判断部１０４に設定する。以下、図９を用いて、判定条件の設定方法の一例を説明する。図９はテーブルタップ１００の外形図であり、テーブルタップ１００には判定条件切り替えスイッチ７０８、値設定ダイヤル７０１、時間設定ダイヤルＡ７０２および、時間設定ダイヤルＢ７０３が配置してある。本実施の形態１では、電力値や時間の設定に、値設定ダイヤルおよび時間設定ダイヤルを用いる場合を示したが、数字キー等を備えて入力するようにすることでも同様の機能を果たすことができる。次に、テーブルタップ１００の判断部１０４における処理内容について図７を用いて説明する。図７は判断部の機能ブロック図であり、判断部１０４の構成要素と、その周辺に判断部１０４の処理に関連する要素を示す。
【００６７】
まず、老人Ａの異常検知の場合には、８時２０分に電流値が０．１Ａ以下であった場合は異常事態と判断する。このため、ここでは判定条件切り替えスイッチ７０８をＡにセットし、値設定ダイヤル７０１を０．１に、時間設定ダイヤルＡ７０２を８：２０に設定する。このように設定したとき、時計１１３からの現在時刻は、比較器７１６において、時間設定ダイヤルＡ７０２設定された８：２０と比較され、これらが一致したときに比較器７１７を有効にする。比較器７１７は、電流計１０３から送られる現在の電流値と、値設定ダイヤル７０１に設定された０．１という値を比較し、現在の電流値が０．１Ａ以下ならばＰＨＳ１０５に異常発信の指示を出すようになっている。
【００６８】
次に、老人Ｂの異常検知の場合には、１６時から１９時までの間に電流計１０３で検知した電流値が、連続して２０分以上１Ａ以上となる期間が存在しない場合は、異常事態と判断する。これは、１６時から１９時までの電力使用量が１０Ｗｈ以下であるとき異常事態と判断することで置き変えることができる（ここでは、炊飯動作を行ったかどうかのみがわかればよいので、電力値はかなりラフでも差し支えないため）。このため、ここでは判定条件切り替えスイッチ７０８をＢにセットし、値設定ダイヤル７０１を１０に、時間設定ダイヤルＡ７０２を１６時に、時間設定ダイヤルＢ７０３を１９時に設定する。このように設定したとき、時計１１３からの現在時刻は、比較器７０９において、時間設定ダイヤルＡ７０２に設定された１６時と比較され、１６時よりも早い間は積分器７１３をクリアし続ける。現在時刻が１６時を超えた場合は、このクリアが停止し、積分器７１３では電流計１０３からの値を積分し、１６時以降の電力量を積算していく。この電力量は、比較器７１４により、値設定ダイヤル７０１にセットされた値１０と比較される。一方、時間設定ダイヤルＢ７０３に設定した１９時という時間は、比較器７１０により現在時刻との比較が行われ、これらが一致した瞬間にスイッチ７１５を接続する。この瞬間に比較器７１４からの信号により、現在までの電力量が１０Ｗｈ以下ならばＰＨＳ１０５に異常発信の指示を出すようになっている。
【００６９】
老人Ｃの異常検知の場合には、１６時から１８時の間に電流計１０３で検知した電流値が、０．５Ａ以下から０．５Ａ以上に切り換わるエッジが存在しない場合は、異常事態と判断する。このため、ここでは判定条件切り替えスイッチ７０８をＣにセットし、時間設定ダイヤルＡ７０２を１６時に、時間設定ダイヤルＢ７０３を１８時に設定する。このように設定したとき、時計１１３からの現在時刻は、比較器７０９において、時間設定ダイヤルＡ７０２設定された１６時と比較され、１６時よりも早い間はフラグ７１１をクリアし続ける。現在時刻が１６時を超えた場合は、このクリアが停止する。また、エッジ検出器７０５は、電流計１０３の変動を監視し、スイッチ投入を検知したらフラグ７１１をセットする。一方、時間設定ダイヤルＢ７０３に設定した１８時という時間は、比較器７１０により現在時刻との比較が行われ、これらが一致した瞬間にスイッチ７１２を接続する。この瞬間にフラグ７１１がクリアされた状態であれば、ＰＨＳ１０５に異常発信の指示を出すようになっている。
【００７０】
老人Ｃの別の異常検知方法として、電灯のオン／オフの操作から１２時間以内に次の電源のオン／オフ操作が行われない場合は異常事態と判断することもできる。このときは、判定条件切り替えスイッチ７０８をＤにセットし、時間設定ダイヤルＡ７０２を１２時間に設定する。このように設定したとき、時計１１３からの現在時刻は、加算器７０４において時間設定ダイヤルＡ７０２に設定された１２時間と加算され、加算器７０４からは、常に現在時刻の１２時間後を出力する。一方、スイッチ投入または切断操作があった際には、エッジ検出器７０５によりこれを検出し、その瞬間の加算器７０４の値をスイッチ７０６により比較器７０７に送りこむ。比較器７０７はこの値をホールドし、現在時刻と比較する。１２時間以内に次のスイッチ操作が行われたときは、スイッチ７０６により新たな時刻が比較器７０７に送り込まれる。１２時間経っても次のスイッチ操作が行われなかった場合は、比較器７０７での時刻の比較が一致と判定されるため、ＰＨＳ１０５に異常発信の指示を出すようになっている。
以上のように、実施の形態１のテーブルタップを用いた監視システムによれば、電気製品に接続可能で、接続した電気製品の使用状況を検出するテーブルタップ１００と、テーブルタップ１００の使用状況により、電気製品の使用者を監視する基地局１０９とを電話回線１０８により接続し、テーブルタップ１００は、検出した電気製品の使用状況が、予め設定されている判定条件と一致するかどうか判定し、一致する場合は異常事態と判断して、電話回線１０８を介し基地局１０９に通信するようにしたことから、種々の生活パターンを持つ人の異常検出を１種類の機器（テーブルタップ）により行うことが可能となる。
【００７１】
（実施の形態２）
上記の例では、異常事態の判定設定をテーブルタップ１００により行っていたが、この場合、ユーザが誤って設定を変えてしまった場合は、誤動作をする可能性があり、また、設定変更時には、テーブルタップ１００を置いてある家庭まで人員を派遣して変更する必要があった。これを解決するために、次に、異常事態の判定条件を基地局から設定できるようにした実施例を、図１０を用いて説明する。図１０は、電気製品に接続可能で、接続した電気製品の使用状況を検出するテーブルタップ１０００と、テーブルタップ１０００の使用状況により電気製品の使用者を監視する基地局１００９とを電話回線１００８により接続したテーブルタップを用いた監視システムのブロック図で、図１と比べると、テーブルタップ１０００の判断部１００４からＰＨＳ１００５、電話回線１００８、モデム１０１０を経由して基地局１００９の監視端末１０１１に至る流れが、双方向になっている点が異なる。テーブルタップ１０００の判断部１００４の機能ブロックを図１１に示す。図１１において、監視端末１０１１から電話回線１００８を介して送られてくる異常事態の判定条件はＰＨＳ１００５を経由して判定条件受信部１１０１が受け取り、これを判定条件格納部１１０２に格納する。条件判定部１１０３では、電流計１０３と時計１１３の状態を、判定条件格納部１１０２に格納された判定条件に照らし合わせて、異常判定を行い、異常事態であると判断した場合は、異常発信部１１０４に発信指示を出すとともに、成立した判定条件を引き渡す。異常発信部１１０４では、ＰＨＳ１００５に対して基地局への通信開始指示を出し、同時にテーブルタップ１０００の認識コードと成立した異常事態の判定条件を送信する。認識コードとしては、所有者の氏名を事前に記憶しておいて用いることもできるが、ここでは、テーブルタップ固有の製造コードを用いる。そして、基地局１００９内のデータベース１１２には、テーブルタップ固有の製造コードと所有者との対応表、およびテーブルタップ固有の製造コードと設定されている判定条件の内容との対応表が、事前に登録されてあるものとする。また、認識コードと判定条件の送信後は、ＰＨＳ１００５と監視端末１０１１との間に音声での回線がつながるようにし、監視端末１０１１からＰＨＳ１００５のマイクとスピーカを使って会話ができるようにする。
【００７２】
監視端末１０１１から送られてくる判定条件の例を図１２に示す。判定条件は監視端末１０１１から、モデム１０１０、ＰＨＳ１００５を介して判定条件受信部１１０１に送られると共に、データベース１１２でテーブルタップ１０００の認識コードと併せて記憶される。図１２において、１つの枠（四角形）が１バイトの信号を意味し、各枠内には１バイトの信号が１６進数で表示してある。ここでは、上述の老人Ａの異常検知を行う判定条件を示している。まず、１２０１はヘッダ情報であり、先頭の００Ｈは以下のデータが異常事態の判定条件であることを意味する。したがって、先頭データとして００Ｈを受け取った判定条件受信部１１０１は、これに続くデータを判定条件格納部１１０２に格納していく。ヘッダ情報１２０１の２つ目の値は判定条件の数を表し、ここでは０４Ｈであるため、４つの判定条件があることを意味する。
【００７３】
１２０２は１つ目の判定条件であり、先頭の０１Ｈは、以下で指定する曜日の以下で指定する時刻に、以下で指定する値より電流値が小さい場合は異常であることを意味する。判定条件１２０２の２つ目の値は曜日の指定であり、８ビットの下から７ビット分を各曜日に割り付け、対応するビットが１の曜日は異常判定を行い、０の曜日は異常判定を行わないようにする。ここでは値が７ＦＨであり、７つのビットが全て１であるため、全ての曜日で異常判定を行うことを意味する。判定条件１２０２の３つ目の値は電流の閾値であり、０．１Ａ単位で記述している。ここでは、０１Ｈという値となっているため、閾値は０．１Ａであることを意味する。判定条件１２０２の４つ目の値は指定時刻の時間部分であり、０８Ｈという値から８時であることを意味する。判定条件１２０２の５つ目の値は指定時刻の分部分であり、１４Ｈという値は十進数では２０であるため、２０分を意味する。以上により、判定条件１２０２は、毎日８時２０分に電流の値を調べ、０．１Ａ以下である場合は異常と判断するという意味を持つ。
【００７４】
１２０３は２つ目の判定条件であり、先頭の０１Ｈは、判定条件１２０２と同じく以下で指定する曜日の以下で指定する時刻に、以下で指定する値より電流値が小さい場合は異常であることを意味する。判定条件１２０３の２つ目の値は曜日の指定であり、値が０１Ｈであることから、日曜日を表すビットだけが１であるため、日曜日のみに異常判定を行うことを意味する。判定条件１２０３の３つ目の値は０１Ｈという値となっているため、閾値は０．１Ａであることを意味する。判定条件１２０３の４つ目の値は指定時刻の時間部分であり、１４Ｈという値をは十進数では２０であるため、２０時であることを意味する。判定条件１２０３の５つ目の値は指定時刻の分部分であり、０ＡＨという値は十進数では１０であるため、１０分を意味する。以上により、判定条件１２０３は、日曜日の２０時１０分に電流の値を調べ、０．１Ａ以下である場合は異常と判断するという意味を持つ。
【００７５】
１２０４は３つ目の判定条件であり、先頭の０２Ｈは、以下で指定する曜日の以下で指定する時刻に、以下で指定する値より電流値が大きい場合は異常であることを意味する。判定条件１２０４の２つ目の値は曜日の指定であり、値が７ＦＨであり、７つのビットが全て１であるため、全ての曜日で異常判定を行うことを意味する。判定条件１２０４の３つ目の値は０１Ｈという値となっているため、閾値は０．１Ａであることを意味する。判定条件１２０４の４つ目の値は指定時刻の時間部分であり、値が００Ｈであるため、０時であることを意味する。判定条件１２０４の５つ目の値は指定時刻の分部分であり、値が００Ｈであるため、０分を意味する。以上により、判定条件１２０４は、毎日０時０分に電流の値を調べ、０．１Ａ以上である場合は異常と判断するという意味を持つ。
【００７６】
１２０５は４つ目の判定条件であり、先頭の０３Ｈは、以下で指定する曜日の以下で指定する期間に、電流の変動（エッジ）がない場合は異常であることを意味する。判定条件１２０５の２つ目の値は曜日の指定であり、値が７ＦＨであり、７つのビットが全て１であるため、全ての曜日で異常判定を行うことを意味する。判定条件１２０５の３つ目の値はエッジの方向を意味し、この値が０１Ｈである場合は立ち上がりエッジ、０２Ｈは立下りエッジ、０３Ｈはいずれか一方のエッジを意味し、ここで指定するエッジがない場合に異常であると判定するものである。ここでは０１Ｈという値となっているため、立ち上がりエッジを判定することを意味する。判定条件１２０５の４つ目の値は指定期間の開始時刻の時間部分であり、値が５Ｈであるため、５時であることを意味する。判定条件１２０５の５つ目の値は指定期間の開始時刻の分部分であり、値が１ＥＨであるため、３０分を意味する。判定条件１２０５の６つ目から７つ目の値は、指定期間の終了時刻の時間と分を意味し、ここでは７時ちょうどを意味する。以上により、判定条件１２０５は、毎日５時３０分から７時０分の期間に電流の立ち上がりエッジがない、（すなわち電源投入動作がない）場合には異常と判断するという意味を持つ。
【００７７】
以上の４つの条件は平行して審査され、１つでも条件に合致した場合は、異常事態と判定される。その際、合致した判定条件を基地局側に通信する。監視端末１０１１では、受け取った認識コードからデータベース１１２を用いてテーブルタップ１０００の持ち主と住所およびその近くに住む派遣要員の連絡先等を検索し、これに合わせて、成立した異常事態の判定条件を表示する。また、その段階ではテーブルタップ１０００のＰＨＳ１００５と監視端末１０１１の間には音声の回線が成立しているため、監視端末１０１１から声をかけて異常がないかどうかを問い合わせることができる。ＰＨＳ１００５でのスピーカとマイクの音量は、監視端末１０１１でコントロールできるようにしておき、音量を上げることにより老人Ａが多少離れた場所にいる場合にも会話ができるようにする。音量を上げて話かけても返答がない場合は、本当に異常が発生した可能性があるため、派遣要員に連絡する等の措置を行う。一方、この際の会話から、例えば単にこれまで見ていた番組が終了して見なくなっただけである等の異常判定条件の変更が聞き出せた場合は、新たな判定条件を上記の手順でテーブルタップ１０００に対して送信することにより、その後の誤動作を防ぐことができる。
【００７８】
上記の例では、判定条件の種類を４種類説明したが、この他に所定の長さの時間内にエッジがない場合、所定の時間の範囲に所定の電力量を消費しないなど、種々の条件を設定し、これらを組み合わせることにより、種々の生活パターンに応じた異常検知を行うことができる。
【００７９】
次に、老人Ｃの異常検知のように例えばテーブルタップ１０００を電灯線につないでおり、異常事態の判定条件として夕方の点灯を利用し、予め定めた時刻に電灯がついているかどうかを判定条件とする場合について説明する。このとき、判定時刻を１９時とした場合は、冬は確実に電灯をつけている時刻であるが、夏では場合によっては不確実な時間であり誤動作を起こすこととなる。これに対して、判定時刻を２０時とした場合は、夏／冬共に確実に電灯をつけている時刻ではあるが、冬では本来１９時には検知できるものを１時間遅れて判定することとなるため、このことにより異常事態への対応が遅れることとなる。このため、このように予め定めた時刻に電灯がついているかどうかを判定条件とする場合には、毎月その日没に応じた判定時刻を判定条件に組み込み、監視端末１０１１からテーブルタップ１０００に送るようにする。また、同様に判定時刻は天候によっても変えることが望ましい。従って、監視端末１０１１に屋外の照度センサを接続し、屋外が一定値以上暗くなった場合に、例えば現在時刻の１分後を判定時刻として判定条件に組み込み、監視端末１０１１からテーブルタップ１０００に送るようにする。
【００８０】
また基地局側では、どうような判定条件がテーブルタップ１０００に設定されているかを必要に応じて確認できるように、テーブルタップ１０００に設定した判定条件を監視端末１０１１に表示できるようにしておく。
【００８１】
また、テーブルタップ１０００を設置する際に、正常に判定条件が設定されたかどうかをテーブルタップ１０００側において、確認したい場合がある。このような場合は、テーブルタップ１０００に表示部分（図示せず）をつけることにより、これを実現することができる。テーブルタップ１０００につける表示部分は、７セグメントのＬＥＤが２桁とボタン１つであり、ボタンを押すごとに、図１２に示した判定条件を１バイトずつ表示するものである。
【００８２】
また、設定された判定条件をテーブルタップ１０００内部のＰＨＳ１００５のスピーカを利用して、音声で出力することもできる。さらに、設置場所が老人ホームの各個室等のように、ＰＨＳと交信可能なＦＡＸが近くにある場合は、テーブルタップ１０００内部のＰＨＳ１００５から、設定された判定条件を近くのＦＡＸに送信することも可能である。
以上のように実施の形態２のテーブルタップを用いた監視システムによれば、テーブルタップ１０００と基地局１００９とを電話回線１００８を介して双方向通信できるようにし、基地局１００９は電話回線１００８を介してテーブルタップ１０００に異常事態の判定条件を設定し、またテーブルタップ１０００は、検出した電気製品の使用状況が、基地局１００９から設定されている判定条件と一致するかどうか判定し、一致する場合は異常事態と判断して、電話回線１００８を介して異常事態を基地局１００９に通信するようにしたことから、基地局側から設定される判定条件に基いて、種々の生活パターンを持つ人の異常検出を１種類の機器（テーブルタップ）により容易に行うことが可能となる。
【００８３】
（実施の形態３）
上記の例において、老人Ａの異常検知を行う場合、８時２０分以降に異常事態が生じても、平日であれば、０時になるまで異常を検知することができない。しかし、たとえば老人Ａの家の電灯線がプラグになっている場合は、これを合わせて利用することにより、異常判定をより迅速に行うことができるようになる。したがって、次に、２種類の電気製品をテーブルタップに接続した場合のテーブルタップを用いた監視システムについて、図１３を用いて説明する。図１３は、２種類の電気製品が接続可能で、接続した各電気製品の使用状況を検出するテーブルタップ１３００と、テーブルタップ１３００の使用状況により電気製品の使用者を監視する基地局１００９とを電話回線１３０９により接続し、テーブルタップ１３００と基地局１００９との間で双方向の通信を可能にしたテーブルタップを用いた監視システムのブロック図である。図１３において、テーブルタップ１３００には、プラグ１３０１と、これに並列につながる差し込み口１３０２および１３０４がある。差し込み口１３０２には例えばテレビ１３１０のプラグ１３１１をつなぐようになっている。また、差し込み口１３０４には例えば電灯１３１２のプラグ１３１３をつなぐようになっている。プラグ１３０１と、これにつながる差し込み口１３０２の中間には、電流計１３０３があり、ここに流れる電流を測定することにより、差し込み口１３０２に差した電気製品の消費電力を測定することができるようになっている。同様に、プラグ１３０１と、これにつながる差し込み口１３０４の中間には、電流計１３０５があり、ここに流れる電流を測定することにより、差し込み口１３０４に差し込んだ電気製品の消費電力を測定することができるようになっている。判断部１３０６は、電流計１３０３および１３０５で検出された電力情報と時計１１３からの時間情報が、予め設定されている判定条件と一致するか否かを比較し、一致した場合にはテーブルタップ１３００に接続されている電気製品の使用者に異常事態が発生したと判断する。判断部１３０６により異常事態が発生したと判断された場合、テーブルタップ１３００は内蔵したＰＨＳ１３０８により異常事態が発生したことを基地局１００９に伝える。
【００８４】
異常事態の判定条件は、実施の形態２と同様に、基地局１００９の監視端末１０１１からモデム１０１０、電話回線１３０９、ＰＨＳ１３０８を介して、テーブルタップ１００の判断部１３０６に送られる。送られてくる判定条件として、まず、図１２に示す２４バイトのデータがある。ここでは、ヘッダ１２０１の最初の００Ｈは、以降の情報が電流計１３０３に対する判定条件であることを意味するものとする。そして、この判定条件に続いて、図１４に示す７バイトのデータが送られるものとする。図１４において、ヘッダ１４０１の最初の０１Ｈは、以降の情報が電流計１３０５に対する判定条件であることを意味すると同時に、電流計１３０３に対する判定条件と電流計１３０５に対する判定条件のいずれか一方が成立したときに異常事態が発生したと判断すること意味をする。ヘッダ１４０１の２つ目の値０１Ｈは、電流計１３０５に対する判定条件は１つであることを意味する。
【００８５】
１４０２は判定条件であり、先頭の０１Ｈは、以下で指定する曜日の以下で指定する時刻に、以下で指定する値より電流値が小さい場合は異常であることを意味する。判定条件１４０２の２つ目の値は曜日の指定であり、値が７ＦＨであり、７つのビットが全て１であるため、全ての曜日で異常判定を行うことを意味する。判定条件１４０２の３つ目の値は電流の閾値であり、０．１Ａ単位で記述している。ここでは、０１Ｈという値となっているため、閾値は０．１Ａであることを意味する。判定条件１４０２の４つ目の値は指定時刻の時間部分であり、１３Ｈという値から１９時であることを意味する。判定条件１４０２の５つ目の値は指定時刻の分部分であり、００Ｈという値から０分を意味する。以上により、判定条件１４０２は、毎日１９時０分に電流の値を調べ、０．１Ａ以下である場合は異常と判断するという意味を持つ。
【００８６】
この判定と、電流計１３０３からの図１２に示す判定が１つでも成立したときは異常事態と判定できるため、迅速に異常事態を検知することができる。また、異常事態発生時には、基地局１００９に対して、成立した判定条件と、どちらの電流計に対する条件が成立したのかという情報を送信することにより、監視端末１０１１でこれを確認することができる。
【００８７】
この例では、迅速性を重視するために、２つの電流計に対する判定条件の一方が成立した場合に異常の通知を行ったが、誤報を防ぐことを重視する場合には、２つの電流計に対する判定条件の両方が成立した場合に異常の通知を行うようにすればよい。この場合、図１４において、ヘッダ１４０１の最初の値を０１Ｈの代わりに０２Ｈとすることにより、判定条件の両方が成立した場合に異常の通知を行うよう設定できるものとする。
以上のように実施の形態３のテーブルタップを用いた監視システムによれば、２種類の電気製品に接続可能で、接続した電気製品の使用状況を検出するテーブルタップ１３００と、テーブルタップ１３００の使用状況により、電気製品の使用者を監視する基地局１００９とを電話回線１３０９により接続するとともに、テーブルタップ１３００と基地局１００９とを電話回線１３０９を介して双方向通信できるようにし、基地局１００９は電話回線１３０９を介してテーブルタップ１３００に異常事態の判定条件を設定し、またテーブルタップ１３００は、検出した電気製品の使用状況が、基地局１００９から設定されている判定条件と一致するかどうか判定し、一致する場合は異常事態と判断して、電話回線１３０９を介して異常事態を基地局１００９に通信するようにしたことから、種々の生活パターンを持つ人の異常検出を１種類の機器（テーブルタップ）によって迅速に行うことが可能となる。
【００８８】
なお、実施の形態３では、テーブルタップの差し込み口が２つの場合について説明したが、差し込み口は３つ以上としてもよく、その場合、差し込み口と同じ数の電流計を備えるようにすればよい。
【００８９】
（実施の形態４）
上記の例では、事前に使用者の生活パターンを知る必要がある。しかし、これに対して、生活パターンが分からない場合に異常検知を行うテーブルタップについての一実施例を示す。このテーブルタップにおいては、１日の３０分毎の電力使用量を記憶し、ある日の３０分間の電力使用量が、記憶してある該当時刻の電力量と一定値以上異なっている場合は異常事態であると判断するものである。この実施例を実現するための判断部１０４を図８に示す。図８において、判断部１０４内には、電流計１０３で検出した値を積分して電力量を求める積分器８０１がある。積分器８０１は時計１１３の指す時間３０分毎にそれまでの電力量を演算器８０２に送った後に、電力量を０にクリアする。演算器８０２では、積分器８０１からの電力量と、時間別記憶部８０３から送られてくるこれに該当する時刻の電力量を、０．１：０．９の比率で重み付け加算する。演算後の値は、再び時間別記憶部８０３に送り、該当する時刻の電力量として記憶しなおす。一方、時計１１３の指す時間３０分毎に、同時に、積分器８０１が出力するそれまでの電力量と、時間別記憶部８０３から送られてくるこれに該当する時刻の電力量は、比較器８０４にて比較され、例えばその電力量に５０Ｗｈ以上の差がある場合は、ＰＨＳ１０５に異常発信の指示を出すようになっている。なお、時間別記憶部８０３の初期値としては、使用初日に積分器８０１が求めた電力値をそのまま記憶するものとする。この場合、使用開始から１０日間については、時間別記憶部８０３に記憶している電力量は信頼性が低いため、ＰＨＳ１０５からの異常発信は禁止しておくものとする。
以上のように、実施の形態４のテーブルタップを用いた監視システムによれば、電気製品に接続可能で、接続した電気製品の使用状況を検出するテーブルタップ１００と、テーブルタップ１００の使用状況により、電気製品の使用者を監視する基地局１０９とを電話回線１０８により接続し、テーブルタップ１００は、検出した電気製品の使用状況を所定時間毎に記憶し、実際の電気製品の使用状況と所定時間毎に記憶されている電気製品の使用状況を比較し、比較結果が一定値以上異なっている場合は異常事態と判断して、電話回線１０８を介し基地局１０９に通信するようにしたことから、種々の生活パターンを持つ人の異常検出を、その生活パターンを事前に知ることなく、１種類の機器（テーブルタップ）によって行うことが可能となる。
【００９０】
なお、実施の形態４において、時間別記憶部８０３は３０分毎の電力使用量の結果を記憶していたが、電力使用量を記憶する時間の間隔は任意に変更できるものとする。
【００９１】
（実施の形態５）
上記の例では、テーブルタップ内部で自動的に異常検知のための判定条件を設定することになるために、あまり柔軟な判定条件の設定ができず、例えば、電力使用量が日によってばらつく時間帯についても、平均値から一定値以上異なった場合に異常事態と判断してしまうため、誤報を起こす確率が高かった。また、実施の形態１のようにアンケートを取っても、正確に生活パターンを覚えていない場合があり、このような場合にも誤報を起こす可能性が高かった。このことを解決するためには、毎日の時間別電力使用量または電源のオン／オフの時刻を基地局側で把握し、これを統計的に専門家が判断して最も確実な判定条件を決定し、この判定条件を基地局側から通信手段によりテーブルタップ側へ設定することにより、信頼性の高い異常検知を行うことができる。これを実現するテーブルタップの一実施例を、図１５を用いて説明する。図１５は、本実施の形態５にかかるのテーブルタップのブロック図であり、図１０のテーブルタップ１０００に点線部分で囲んだ、積分器１５０１と、時間別記憶部１５０２と、エッジ検出器１５０３と、時刻記憶部１５０４と、通信制御部１５０５とを新たに追加したものである。
【００９２】
図１５において、テーブルタップ１０００に流れる電流は電流計１０３により測定し、積分器１５０１ではこれを積分して電力量を求め、３０分毎に時間別記憶部１５０２に格納する。同時に、電流計１０３により測定した電源のオン／オフをエッジ検出部１５０３で検出し、その瞬間の時刻をオン／オフ別に時刻記憶部１５０４に記憶する。これら記憶された情報は、通信制御部１５０５により、ＰＨＳ１００５を介して基地局１００９に送られる。記憶された情報を送ったあとは、時間別記憶部１５０２および時刻記憶部１５０４の情報は消去する。記憶された情報を送るタイミングとしては、一定の時間間隔毎に送る場合、記憶部の容量が一杯になったときに送る場合、基地局からＰＨＳ１００５を介して送信要求があったときに送る場合、などがあるが、記憶容量、システム構成の容易さに応じて適切な方法をとるものとする。また、時間別記憶部１５０２を省略する方法として、３０分毎に基地局に対して積分器１５０１の内容を直接ＰＨＳ１００５を介して送信するという方法もある。
【００９３】
なお、テーブルタップ１０００は、時間別に記憶した電力量と同時に電流計１０３により検出された電力量の検出結果も基地局１００９に送信できるものとする。
以上のように基地局側に送られた情報は数日間分データベース１１２に蓄え、この情報をもとに専門家が判断して最も確実な判定条件を決定し、実施の形態３で示した手順でこの判定条件を基地局側から通信によりテーブルタップへ設定するようにする。
以上のように実施の形態５のテーブルタップを用いた監視システムによれば、テーブルタップ１０００に接続されている電気製品の毎日の時間別電力使用量または電源のオン／オフの時刻を基地局１００９で把握し、これを統計的に専門家が判断して最も確実な判定条件を決定し、この判定条件を基地局側から電話回線１００８を介してテーブルタップ側へ設定するようにし、またテーブルタップ１０００は、この設定された判定条件と検出した電気製品の使用状況が、一致するかどうか判定し、一致する場合は異常事態と判断して、電話回線１００８を介して異常事態を基地局１００９に通知するようにしたことから、種々の生活パターンを持つ人に対する信頼性の高い異常検出を１種類の機器（テーブルタップ）により行うことが可能となる。
【００９４】
（実施の形態６）
実施の形態１〜実施の形態５におけるテーブルタップを用いた監視システムは、テーブルタップが所定の電気製品に正常に接続されていることを前提としたものであるため、使用者によって本テーブルタップを一般のテーブルタップ代わりに別の電気製品に流用されたり、プラグを抜かれたりした場合には誤動作を起こすことになる。ここでは、このような誤動作を防止するための実施例について示す。
【００９５】
まず、本テーブルタップの差し込み口１０２に差し込んだ電気製品１０６のプラグ１０７がはずされることのないように、差し込み口１０２にラッチ機構をつけるものとする。ラッチ機構の一実施例を図１６に示す。図１６において、プラグ１０７は本テーブルタップの差し込み口１０２にささった状態で、この部分を覆うふた１６０１がついている。ふた１６０１はヒンジ１６０２を中心に回転できるようになっており、プラグを差し込んだ後にふた１６０１を閉じられる機構となっている。ふたを閉じた後は、ラッチ部１６０３により、ふたはあけられないようにロックすることができる。以上により、本テーブルタップの差し込み口１０２に差し込んだ電気製品１０６のプラグ１０７が使用者により抜かれる可能性が極めて低くなる。
【００９６】
次に、本テーブルタップのプラグ１０１が家のコンセントの差し込み口から抜かれた場合の対策について示す。家のコンセントの差し込み口は通常ラッチ機構を持たないため、ここではプラグ１０１が抜かれた場合の対処法を図１７を用いて示す。図１７はテーブルタップ１７００内のブロック図である。図１に比べて、充電池１７０１、電圧計１７０３およびスイッチ１７０４を追加したものである。図１７において、プラグ１０１が抜かれても、充電池が電気を蓄えており、時計１１３、判断部１７０２、ＰＨＳ１０５に電力を供給する。プラグ１０１が抜かれたことは電圧計１７０３によって検知され、判断部１７０２に通知する。判断部１７０２はＰＨＳ１０５のスピーカから警告音を発し、使用者にプラグ１０１を抜いてはいけないことを通知するようにする。また、別の方法としては、プラグ１０１が抜かれたことを検知した判断部１７０２は、ＰＨＳ１０５を介して基地局に通信し、これを知った基地局の監視員がＰＨＳ１０５のスピーカを介して、使用者にプラグ１０１を抜いてはいけないことを通知するようにもできる。さらに、特に、異常事態の判定条件が、特定の時刻に電源のオン操作が行われないときに異常発信をおこなうように設定されているときに限っては、プラグ１０１を抜くことを許容し、判定条件として設定した時刻になっても、プラグ１０１が差し込まれていないときに、異常事態として基地局に通知することもできる。
【００９７】
最後に、テーブルタップの使用者が出かけるときにそのままにしておくと、使用者が留守にもかかわらず異常事態と判断して誤報を生じる可能性がある。これを回避するため、テーブルタップの使用者が出かけるときには図１７のスイッチ１７０４をオフするものとする。判断部１７０２は、異常検知を行った場合にスイッチ１７０４を調べ、これがオフになっている場合は通報を行わないものとする。ただし、図１７のスイッチ１７０４がオフおよびオンになったときには、判断部１７０２はＰＨＳ１０５を介して基地局に対して、スイッチがオフおよびオンになったことを通知しておくこととする。さらに、スイッチ１７０４がオフなったときには、判断部１７０２はこの時刻を記憶し、予め定めた時間、例えば２４時間経ってもスイッチがオンに戻らない場合には、オンに戻るまでＰＨＳ１０５のスピーカから警告音を発するようにする。このことにより、使用者がその場にいた場合は、すぐにスイッチをオンに戻すことを思いだし、また、そのときに使用者がその場にいなくても、帰宅時に警告音に気づいてすぐにスイッチをオンに戻すこととなる。
以上のように実施の形態６のテーブルタップを用いた監視システムによれば、テーブルタップの差し込み口に電気製品のプラグに差し込んだ際に、そのプラグが抜けないようにする物理的なラッチ機構を備えるようにしたことから、使用者によってテーブルタップを一般のテーブルタップの代わりに別の電気製品に流用されたり、プラグを抜かれたりした場合に起こる誤動作を防止することができる。
また、テーブルタップは、差し込み口から電気製品のプラグが引き抜かれたことを検知した場合に、警告音を発したり、基地局に通信するようにしたことから、テーブルタップによる異常事態の検出が実施不可になったことを使用者に警告したり、基地局に通知したりすることができる。
また、テーブルタップに、基地局に対する通信を禁止するスイッチをさらに備えるようにしたので、テーブルタップを使用しない期間は基地局への通知を停止し、誤報の発生を抑えることができる。
【００９８】
なお、上記各実施の形態において、テーブルタップは通信手段としてＰＨＳを内蔵するようにしているが、テーブルタップの通信手段は必ずしもＰＨＳに限定されるものではない。
また、上記各実施の形態において、テーブルタップの通信手段は内蔵のものとしたが、通信手段はテーブルタップとの接続が切り離し不可能となっていれば、テーブルタップの外部に設けるようにしてもよい。
【０１０１】
【発明の効果】
本願の請求項１に係るテーブルタップを用いた監視システムによれば、差し込み口に接続した電気製品の使用状況を検出するテーブルタップと、前記テーブルタップが検出した前記電気製品の使用状況により、前記電気製品の使用者を監視する基地局と、前記テーブルタップによる検出結果を前記基地局に通信する通信手段とを備え、前記テーブルタップは、時間を計測する時間計測手段と、前記差し込み口に接続した電気製品の電力使用量を検出する電力検出手段と、前記電力検出手段によって検出された電力使用量の検出結果が、予め設定した判定条件に一致するか否かを、前記時間計測手段によって検出された時間情報を参照して判定する判定手段と、予め設定した時間以上、前記電力検出手段が検出する電力量に変動がないという第１の判定条件と、予め設定した時間の範囲内に、前記電力検出手段が検出する電力量に変動がないという第２の判定条件と、予め設定した時間の範囲内に、予め設定した電力量を前記電力検出手段が検出できないという第３判定条件と、予め設定した時刻に、予め設定した電力量を前記電力検出手段が検出できないという第４の判定条件と、予め設定した時刻を過ぎても、予め設定した電力量を前記電力検出手段が検出し続けるという第５の判定条件と、予め設定した曜日の予め設定した時刻に、予め設定した電力量を前記電力検出手段が検出できないという第６の判定条件の中から、少なくとも２つ以上の判定条件を、前記電気製品の使用者に合わせて設定する判定条件設定手段とをさらに備え、前記第１から第６の判定条件のいずれかを前記基地局から前記テーブルタップに設定し、設定した２つ以上の判定条件のうち、いずれか１つが成立した時に、前記テーブルタップから前記基地局に通信を行うようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１１０】
また、本願の請求項２に係るテーブルタップを用いた監視システムによれば、請求項１に記載のテーブルタップを用いた監視システムにおいて、前記テーブルタップは、設定された判定条件のうち、どの判定条件が成立した時に前記基地局に通信を行うかについて、選択的に切り替える判定条件切替手段をさらに備えたので、この設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１１１】
また、本願の請求項３に係るテーブルタップを用いた監視システムによれば、請求項１または２に記載のテーブルタップを用いた監視システムにおいて、前記テーブルタップは、前記第１ないし第６の判定条件の設定に必要なパラメータである設定時間と設定電力値を選択できるパラメータ選択手段をさらに備えるようにしたので、パラメータを設定することにより適切な基準とした判定基準に基づき安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１１２】
また、本願の請求項４に係るテーブルタップを用いた監視システムによれば、  請求項１または２に記載のテーブルタップを用いた監視システムにおいて、前記テーブルタップは、前記第１ないし第６の判定条件の設定に必要なパラメータである設定時間と設定電力値を入力するパラメータ入力手段をさらに備えるようにしたので、パラメータを入力することにより適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１１４】
また、本願の請求項５に係るテーブルタップを用いた監視システムによれば、  請求項１に記載のテーブルタップを用いた監視システムにおいて、前記基地局は、前記テーブルタップに設定した前記判定条件を記憶する判定条件記憶手段をさらに備えるようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その判定基準を基地局の側で記憶しておくことができるものが得られる効果がある。
【０１１５】
また、本願の請求項６に係るテーブルタップを用いた監視システムによれば、請求項１に記載のテーブルタップを用いた監視システムにおいて、前記テーブルタップは、前記基地局から設定された前記判定条件のうち、いずれか１つが成立した場合、テーブルタップ個別の認識コードと、成立した判定条件を前記基地局に送信するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップと判定基準の詳細を基地局の側で把握することができるものが得られる効果がある。
【０１１６】
また、本願の請求項７に係るテーブルタップを用いた監視システムによれば、請求項６に記載のテーブルタップを用いた監視システムにおいて、前記基地局は、前記テーブルタップから送信される前記テーブルタップ個別の認識コードと、前記テーブルタップに設定した前記判定条件との対応表を有するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップの識別コードおよび判定基準の詳細を基地局の側で把握することができるものが得られる効果がある。
【０１１７】
また、本願の請求項８に係るテーブルタップを用いた監視システムによれば、請求項７に記載のテーブルタップを用いた監視システムにおいて、前記基地局の対応表に含まれる前記テーブルタップ個別の認識コードとして、使用者の氏名および連絡先を用いるようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップの使用者および判定基準の詳細を基地局の側で把握することができるものが得られる効果がある。
【０１１８】
また、本願の請求項９に係るテーブルタップを用いた監視システムによれば、請求項７記載のテーブルタップを用いた監視システムにおいて、前記基地局の対応表に含まれる前記テーブルタップ個別の認識コードとして、前記テーブルタップの製造コードを用いるようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップの製造コードおよび判定基準の詳細を基地局の側で把握することができるものが得られる効果がある。
【０１１９】
また、本願の請求項１０に係るテーブルタップを用いた監視システムによれば、請求項９に記載のテーブルタップを用いた監視システムにおいて、前記基地局は、前記テーブルタップ個別の製造コードと該製造コードに対応する使用者の氏名および連絡先との対応表を有するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップの使用者および判定基準の詳細を基地局の側で把握することができるものが得られる効果がある。
【０１２０】
また、本願の請求項１１に係るテーブルタップを用いた監視システムによれば、請求項１に記載のテーブルタップを用いた監視システムにおいて、前記基地局は、前記テーブルタップに設定した前記判定条件の内容を基地局端末に表示するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップの使用者および判定基準の詳細を基地局の側で容易に確認することができるものが得られる効果がある。
【０１２１】
また、本願の請求項１２に係るテーブルタップを用いた監視システムによれば、請求項６に記載のテーブルタップを用いた監視システムにおいて、前記基地局は、前記テーブルタップから送信される前記テーブルタップ個別の認識コードに基づいて、通信してきたテーブルタップの使用者の氏名と連絡先を検索して基地局端末に表示するとともに、前記テーブルタップから送信される前記判定条件に基づいて、成立した判定条件の内容を前記基地局端末に表示するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知したテーブルタップの使用者および判定基準の詳細を基地局の側で容易に確認することができるものが得られる効果がある。
【０１２２】
また、本願の請求項１３に係るテーブルタップを用いた監視システムによれば、請求項１に記載のテーブルタップを用いた監視システムにおいて、前記テーブルタップは、前記基地局から設定された前記判定条件を表示する表示装置をさらに備えるようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その判定基準をテーブルタップの側で容易に確認することができるものが得られる効果がある。
【０１２３】
また、本願の請求項１４に係るテーブルタップを用いた監視システムによれば、請求項１に記載のテーブルタップを用いた監視システムにおいて、前記テーブルタップは、前記基地局から設定された前記判定条件を、前記通信回線を介してＦＡＸ信号として外部に出力するＦＡＸ送信手段をさらに備えるようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その判定基準をテーブルタップ付近のＦＡＸで容易に確認することができるものが得られる効果がある。
【０１２４】
また、本願の請求項１５に係るテーブルタップを用いた監視システムによれば、請求項１に記載のテーブルタップを用いた監視システムにおいて、前記テーブルタップは、スピーカと、設定されている前記判定条件を、音声信号として前記スピーカに出力する音声報知手段とをさらに備えるようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知でき、しかも、その検知した判定基準をテーブルタップの側で把握することができるものが得られる効果がある。
【０１２５】
また、本願の請求項１６に係るテーブルタップを用いた監視システムによれば、請求項１に記載のテーブルタップを用いた監視システムにおいて、前記基地局は、前記判定条件の設定に必要なパラメータである設定時間および設定電力値を、季節に応じて前記テーブルタップに自動設定するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知することができるものが得られる効果がある。
【０１２６】
また、本願の請求項１７に係るテーブルタップを用いた監視システムによれば、請求項１に記載のテーブルタップを用いた監視システムにおいて、前記基地局は、前記判定条件の設定に必要なパラメータである設定時間および設定電力値を、天候に応じて前記テーブルタップに自動設定するようにしたので、基地局の側から適切な基準に設定した判定基準に基づき安価なテーブルタップのみで一人暮し老人等の異常事態の発生を検知し通知することができ、カメラ等の監視装置を使わないため、使用者に監視されている不快感を与えることなく、異常事態を検知することができるものが得られる効果がある。
【０１２７】
また、本願の請求項１８に係るテーブルタップを用いた監視システムによれば、請求項１に記載のテーブルタップを用いた監視システムにおいて、前記テーブルタップと前記基地局とは、それぞれスピーカとマイクとをさらに備え、前記基地局と前記テーブルタップとの間で、会話ができるようにしたので、安価なテーブルタップのみで一人暮し老人等の異常事態の発生を検知し通知することができ、カメラ等の監視装置を使わないため、使用者に監視されている不快感を与えることなく、異常事態を検知することができるものが得られ、しかも基地局の側から使用者の異常事態の有無を音声で確認等できるものが得られる効果がある。
【０１２８】
また、本願の請求項１９に係るテーブルタップを用いた監視システムによれば、請求項６記載のテーブルタップを用いた監視システムにおいて、前記テーブルタップと前記基地局とは、それぞれスピーカとマイクとをさらに備え、前記基地局と前記テーブルタップとの間で、会話ができるようにし、前記テーブルタップは、前記基地局から設定された前記判定条件のうち、いずれか１つが成立した場合、テーブルタップ個別の認識コードと、成立した判定条件をモデム信号として前記基地局に送信し、その後、前記モデム信号を音声信号に切り替え、前記スピーカとマイクにより基地局と会話ができるようにしたので、安価なテーブルタップのみで一人暮し老人等の異常事態の発生を検知し通知することができ、カメラ等の監視装置を使わないため、使用者に監視されている不快感を与えることなく、異常事態を検知することができるものが得られ、しかも基地局の側から使用者の異常事態の有無等を音声でやりとりできるものが得られる効果がある。
【０１２９】
また、本願の請求項２０に係るテーブルタップを用いた監視システムによれば、請求項１８記載のテーブルタップを用いた監視システムにおいて、前記テーブルタップ側のスピーカとマイクの音量は、前記基地局側から変更可能であるようにしたので、安価なテーブルタップのみで一人暮し老人等の異常事態の発生を検知し通知することができ、カメラ等の監視装置を使わないため、使用者に監視されている不快感を与えることなく、異常事態を検知することができるものが得られ、しかも基地局の側から使用者の異常事態の有無等を適切な音量の音声でやりとりできるものが得られる効果がある。
【０１３０】
また、本願の請求項２１に係るテーブルタップを用いた監視システムによれば、請求項１に記載のテーブルタップを用いた監視システムにおいて、前記テーブルタップは、前記電力検出手段により検出された電力使用量の検出結果を所定時間毎に記憶する時間別記憶手段と、前記時間別記憶手段に記憶されている電力使用量の検出結果と実際の電力使用量の検出結果とを比較する比較手段とをさらに備え、前記比較手段による比較結果が所定の値以上異なっていた場合は、前記基地局に通信を行うようにしたので、使用者の生活パターンを事前に知ることなく基づき安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１３１】
また、本願の請求項２２に係るテーブルタップを用いた監視システムによれば、請求項２１に記載のテーブルタップを用いた監視システムにおいて、前記テーブルタップは、前記時間別記憶手段に記憶された電力使用量の検出結果を更新する検出結果更新手段をさらに備えるようにしたので、使用者の生活パターンを事前に知ることなく安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１３２】
また、本願の請求項２３に係るテーブルタップを用いた監視システムによれば、請求項２１に記載のテーブルタップを用いた監視システムにおいて、前記テーブルタップは、前記時間別記憶手段に記憶された電力使用量に対する第１の係数と、実際の電力使用量に対する第２の係数を有し、前記時間別記憶手段に記憶された電力使用量の検出結果と実際の電力使用量の検出結果にそれぞれ前記第１と第２の係数を乗算した後、両者の和を対応する時間毎にとり、その結果を新たな所定時間毎の電力使用量の検出結果として更新する検出結果更新手段をさらに備えるようにしたので、使用者の生活パターンを事前に知ることなく判定基準に基づき安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１３３】
また、本願の請求項２４に係るテーブルタップを用いた監視システムによれば、請求項１に記載のテーブルタップを用いた監視システムにおいて、前記テーブルタップは、前記電力検出手段により検出された電力使用量の検出結果を所定時間毎に記憶する時間別記憶手段をさらに備え、前記時間別記憶手段に記憶された電力使用量の検出結果を前記電力検出手段により検出された現在の電力使用量の検出結果とともに電力使用量の検出結果情報として前記基地局に所定時間毎に送信するようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、判定基準の設定の際の参考となる電気製品の使用状況を基地局に所定時間毎に通知できるものが得られる効果がある。
【０１３４】
また、本願の請求項２５に係るテーブルタップを用いた監視システムによれば、請求項１に記載のテーブルタップを用いた監視システムにおいて、前記テーブルタップは、前記電力検出手段により検出された電力使用量の検出結果を所定時間毎に記憶する時間別記憶手段をさらに備え、前記基地局から要求のあった際には、前記時間別記憶手段に所定時間毎に記憶された電力使用量の検出結果を前記電力検出手段により検出された現在の電力使用量の検出結果とともに電力使用量の検出結果情報として前記基地局に送信するようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、判定基準の設定の際の参考となる電気製品の使用状況を基地局の要求により通知できるものが得られる効果がある。
【０１３５】
また、本願の請求項２６に係るテーブルタップを用いた監視システムによれば、請求項１に記載のテーブルタップを用いた監視システムにおいて、前記テーブルタップは、前記電力検出手段により検出された電力使用量の検出結果を基に、接続されている電気製品の通電がオンになった時刻とオフになった時刻を検出し、検出結果をオン／オフ時刻情報として記憶するオン／オフ時刻記憶手段をさらに備え、前記基地局から要求のあった際には、前記オン／オフ時刻情報を前記基地局に送信するようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、判定基準の設定の際の参考となる電気製品の使用状況を基地局からの要求により通知できるものが得られる効果がある。
【０１３６】
また、本願の請求項２７に係るテーブルタップを用いた監視システムによれば、請求項２４〜請求項２６のいずれかに記載のテーブルタップを用いた監視システムにおいて、前記基地局は、前記テーブルタップから送信される前記電力使用量の検出結果情報および前記オン／オフ時刻情報を記憶するようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、判定基準の設定の際の参考となる電気製品の使用状況を基地局が記憶できるものが得られる効果がある。
【０１３７】
また、本願の請求項２８に係るテーブルタップを用いた監視システムによれば、請求項２７に記載のテーブルタップを用いた監視システムにおいて、前記基地局は、記憶した前記電力使用量の検出結果情報および前記オン／オフ時刻情報を基に、前記テーブルタップに対して、設定した判定条件のパラメータである設定時間と設定電力値の変更を行うようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、異常事態の判定条件のパラメータを電気製品の使用状況に応じて変更できるものが得られる効果がある。
【０１３８】
また、本願の請求項２９に係るテーブルタップを用いた監視システムによれば、請求項２４〜請求項２６のいずれかに記載のテーブルタップを用いた監視システムにおいて、前記テーブルタップは、前記電力使用量の検出結果情報および前記オン／オフ時刻情報を前記基地局に送信した後、送信したそれぞれの情報を前記時間別記憶手段および前記オン／オフ記憶手段から消去するようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、判定基準の設定の際の参考となる電気製品の使用状況を基地局に送信した後、消去して、オン／オフ記憶手段がオーバーフローするのを防ぐことができるものが得られる効果がある。
【０１３９】
また、本願の請求項３０に係るテーブルタップを用いた監視システムによれば、請求項１に記載のテーブルタップを用いた監視システムにおいて、前記テーブルタップは、電気製品が接続される２つ以上の差し込み口と、時間を計測する時間計測手段と、前記各差し込み口に接続した各電気製品の電力使用量を個別に検出する電力検出手段と、前記時間検出手段によって検出された時間情報を参照して、前記電力検出手段の検出結果と予め設定した判定条件との一致を判定する判定手段とを備え、前記一致が判定されたとき、前記基地局に前記一致が生じたことを通信するようにしたので、安価なテーブルタップのみで一人暮し老人等の異常事態の発生を検知し通知することができ、カメラ等の監視装置を使わないため、使用者に監視されている不快感を与えることなく、異常事態を検知できるものが得られる効果がある。
【０１４０】
また、本願の請求項３１に係るテーブルタップを用いた監視システムによれば、請求項３０に記載のテーブルタップを用いた監視システムにおいて、前記テーブルタップは、前記電力検出手段によって検出された電力使用量の検出結果のうち、いずれか１つが予め設定した判定条件に一致した場合に前記基地局に通信を行うようにしたので、安価なテーブルタップのみで一人暮し老人等の異常事態の発生を迅速に検知し通知することができ、カメラ等の監視装置を使わないため、使用者に監視されている不快感を与えることなく、異常事態を検知できるものが得られる効果がある。
【０１４１】
また、本願の請求項３２に係るテーブルタップを用いた監視システムによれば、請求項３０に記載のテーブルタップを用いた監視システムにおいて、前記テーブルタップは、前記電力検出手段によって検出された電力使用量の検出結果のうち、少なくとも２つ以上の検出結果が予め設定した判定条件に一致した場合に前記基地局に通信を行うようにしたので、安価なテーブルタップのみで一人暮し老人等の異常事態の発生を確実に検知し通知することができ、カメラ等の監視装置を使わないため、使用者に監視されている不快感を与えることなく、異常事態を検知できるものが得られる効果がある。
【０１４２】
また、本願の請求項３３に係るテーブルタップを用いた監視システムによれば、請求項１に記載のテーブルタップを用いた監視システムにおいて、前記テーブルタップは、内蔵の電源と、前記テーブルタップに付属するプラグを介してコンセントから供給される電圧を検出する電圧検出手段と、前記内蔵の電源から電力が供給され、前記電圧検出手段の出力が所定の値より低下した場合には、警告音を発生する警告手段とをさらに備えるようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、テーブルタップによる異常事態の検出が実施不可になったことを使用者に警告できるものが得られる効果がある。
【０１４３】
また、本願の請求項３４に係るテーブルタップを用いた監視システムによれば、請求項３３に記載のテーブルタップを用いた監視システムにおいて、前記内蔵の電源から電力が供給され、かつ、前記電圧検出手段の出力が所定の値より低下した場合には、前記基地局に通信を行うようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、テーブルタップによる異常事態の検出が実施不可になったことを基地局に通知できるものが得られる効果がある。
【０１４４】
また、本願の請求項３５に係るテーブルタップを用いた監視システムによれば、請求項３３に記載のテーブルタップを用いた監視システムにおいて、前記内蔵の電源から電力が供給され、かつ、前記電圧検出手段の出力が所定の値より低下した後、予め設定されている時間が経過しても前記電圧検出手段の前記出力が前記所定の値より低い場合には、前記基地局に通信を行うようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、テーブルタップによる異常事態の検出が実施不可になったことを設定時間に基地局に通知できるものが得られる効果がある。
【０１４５】
また、本願の請求項３６に係るテーブルタップを用いた監視システムによれば、請求項１に記載のテーブルタップを用いた監視システムにおいて、前記テーブルタップは、前記設定された２つ以上の判定条件のうち、いずれか１つが成立した時に、前記基地局に行う通信を禁止する機能停止スイッチをさらに備えるようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、本テーブルタップを使用しない期間は通知を停止し、誤報の発生を抑えることができるものが得られる効果がある。
【０１４６】
また、本願の請求項３７に係るテーブルタップを用いた監視システムによれば、請求項３６に記載のテーブルタップを用いた監視システムにおいて、前記テーブルタップは、前記機能停止スイッチの状態がオフまたはオンの時、前記基地局に前記スイッチの状態を通信するようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、本テーブルタップを使用しない期間は通知を停止し、誤報の発生を抑えることができるとともに、その不使用である旨を基地局に通知することができるものが得られる効果がある。
【０１４７】
また、本願の請求項３８に係るテーブルタップを用いた監視システムによれば、請求項３６に記載のテーブルタップを用いた監視システムにおいて、前記テーブルタップは、前記通信を禁止する機能停止スイッチがオフになった時刻を記憶する記憶手段と、前記記憶手段が記憶した時刻から予め設定した時間を超えても前記スイッチがオンに戻らない場合、警告を発する警告手段とをさらに備えるようにしたので、安価なテーブルタップのみで一人暮し老人等の異常事態の発生を検知し通知することができ、カメラ等の監視装置を使わないため、使用者に監視されている不快感を与えることなく、異常事態を検知できるとともに、本テーブルタップを使用しない期間が経過しスイッチをオンにすべき旨を使用者に警告することができるものが得られる効果がある。
【図面の簡単な説明】
【図１】本発明の実施の形態１におけるテーブルタップを用いた監視システムのブロック図である。
【図２】老人Ａのテレビ使用時間を示す説明図である。
【図３】老人Ｂの炊飯器使用時間を示す説明図である。
【図４】老人Ｃの電灯使用時間を示す説明図である。
【図５】老人Ｄの電気ポット使用時間を示す説明図である。
【図６】老人Ｅの健康器具使用時間を示す説明図である。
【図７】本発明の実施の形態１におけるテーブルタップに内蔵される判断部のブロック図である。
【図８】本発明の実施の形態４におけるテーブルタップに内蔵される判断部のブロック図である。
【図９】本発明の実施の形態１におけるテーブルタップの外観図である。
【図１０】本発明の実施の形態２におけるテーブルタップを用いた監視システムのブロック図である。
【図１１】本発明の実施の形態２におけるテーブルタップに内蔵される判断部のブロック図である。
【図１２】本発明の実施の形態２における異常事態の判定条件のデータフォーマットである。
【図１３】本発明の実施の形態３におけるテーブルタップを用いた監視システムのブロック図である。
【図１４】本発明の実施の形態３における異常事態の判定条件のデータフォーマットである。
【図１５】本発明の実施の形態５におけるテーブルタップのブロック図である。
【図１６】本発明の実施の形態６におけるテーブルタップの差し込み口付近の外観図である。
【図１７】本発明の実施の形態６におけるテーブルタップを用いた監視システムのブロック図である。
【符号の説明】
１００  テーブルタップ
１０１  テーブルタップのプラグ
１０２  テーブルタップの差し込み口
１０３  電流計
１０４  判断部
１０５  ＰＨＳ
１０６  電気製品
１０７  電気製品のプラグ
１０８  電話回線
１０９  基地局
１１０  モデム
１１１  監視端末
１１２  データベース
２０１  老人Ａのテレビが毎日必ずついている時刻
２０２  老人Ａのテレビが毎日日曜日必ずついている時刻
２０３  老人Ａのテレビが毎日必ずついていない時刻
２０４  老人Ａが朝テレビをつける時刻
７０１  値設定ダイヤル
７０２  時間設定ダイヤルＡ
７０３  時間設定ダイヤルＢ
７０４  加算器
７０５  エッジ検出器
７０６  サンプルホールダ
７０７  比較器
７０８  判断条件切り換えスイッチ
７０９  比較器
７１０  比較器
７１１  フラグ
７１２  サンプルホールダ
７１３  積分器
７１４  比較器
７１５  サンプルホールダ
７１６  比較器
７１７  比較器
８０１  積分器
８０２  演算器
８０３  時間別記憶部
８０４  比較器
１０００  テーブルタップ
１００４  判断部
１００５  ＰＨＳ
１００８  電話回線
１００９  基地局
１０１０  モデム
１０１１  監視端末
１１０１  判定条件受信部
１１０２  判定条件格納部
１１０３  条件判定部
１１０４  異常発信部
１２０１  ヘッダ情報
１２０２  第１判定条件
１２０３  第２判定条件
１２０４  第３判定条件
１２０５  第４判定条件
１３００  テーブルタップ
１３０１  テーブルタップのプラグ
１３０２  テーブルタップの差し込み口
１３０３  電流計
１３０４  テーブルタップの差し込み口
１３０５  電流計
１３０６  判断部
１３０７  時計
１３０８  ＰＨＳ
１３０９  電話回線
１３１０  テレビ
１３１１  テレビのプラグ
１３１２  電灯
１３１３  電灯のプラグ
１４０１  ヘッダ情報
１４０２  判定条件
１５０１  積分器
１５０２  時間別記憶部
１５０３  エッジ検出部
１５０４  時刻記憶部
１５０５  通信制御部
１６０１  ラッチ機構ふた
１６０２  ラッチ機構ヒンジ部
１６０３  ラッチ部
１７００  テーブルタップ
１７０１  充電池
１７０２  判断部
１７０３  電圧計
１７０４  機能停止スイッチ
【図１】
0003578959.tif 000002
【図２】
0003578959.tif 000003
【図３】
0003578959.tif 000004
【図４】
0003578959.tif 000005
【図５】
0003578959.tif 000006
【図６】
0003578959.tif 000007
【図７】
0003578959.tif 000008
【図８】
0003578959.tif 000009
【図９】
0003578959.tif 000010
【図１０】
0003578959.tif 000011
【図１１】
0003578959.tif 000012
【図１２】
0003578959.tif 000013
【図１３】
0003578959.tif 000014
【図１４】
0003578959.tif 000015
【図１５】
0003578959.tif 000016
【図１６】
0003578959.tif 000017
【図１７】
0003578959.tif 000018